(57)【要約】  微小液滴生成装置は、第１部品（１）と第２部品（２）を含み、第１部品（１）と第２部品（２）とは固定接続される。第１部品（１）は、微小液滴生成チップであり、微小液滴の生成のために使用される。第２部品（２）は、微小液滴試料のローディングと生成された微小液滴の収集の装置であり、第１部品（１）の油相試料と水相試料のローディング及び生成された微小液滴の収集のために使用される。微小液滴生成チップは、中心孔（４２）を含む。第２部品には、各微小液滴生成ユニット（４１）と適合する微小液滴ローディング及び収集ユニットが設けられる。この微小液滴生成装置は、均一なミクロンレベルの「油中水」／「水中油」の微小液滴を迅速かつ確実に並行生成することができる。
2021500586.tif 000002
【特許請求の範囲】
【請求項１】
微小液滴生成装置であって、第１部品と第２部品を含み、第１部品と第２部品とは固定接続され、前記第１部品は、微小液滴生成チップであり、微小液滴の生成のために使用され、前記第２部品は、微小液滴試料のローディングと生成された微小液滴の収集の装置であり、第１部品の油相試料と水相試料のローディング及び生成された微小液滴の収集のために使用される、ことを特徴とする微小液滴生成装置。
【請求項２】
前記第１部品と前記第２部品は、それぞれ一体射出成形によって形成される、ことを特徴とする請求項１に記載の微小液滴生成装置。
【請求項３】
前記第１部品には、少なくとも１個の微小液滴生成ユニットが設けられ、好ましくは４個、８個、及び１２個の微小液滴生成ユニットが設けられ、前記第２部品には、少なくとも１個の微小液滴ローディング及び収集ユニットが設けられ、好ましくは４個、８個、及び１２個の微小液滴生成ユニットが設けられ、各微小液滴生成ユニットは、それに対応する微小液滴ローディング及び収集ユニットと協働して、微小液滴のローディング、生成及び収集を行う、ことを特徴とする請求項１に記載の微小液滴生成装置。
【請求項４】
前記微小液滴生成チップは中心孔を含み、前記中心孔は、前記微小液滴生成チップの製造中の射出成形材料の注入、及びバッチ生産中の微小液滴生成チップの移送のために使用され、前記中心孔の両側に、中心孔を中心として１個以上の微小液滴生成ユニットが設けられ、各微小液滴生成ユニットは独立して微小液滴を生成し、好ましくは、前記中心孔の両側に、４個の微小液滴生成ユニットが等間隔で設けられる、ことを特徴とする請求項３に記載の微小液滴生成装置。
【請求項５】
前記微小液滴生成チップは中心孔を含み、前記微小液滴生成ユニットは、油相試料入口、油相試料管路、水相試料入口、水相試料管路、及び微小液滴出口を含み、前記油相試料管路及び／又は前記水相試料管路は、前記中心孔から離れる弧状の管路構造である、ことを特徴とする請求項３に記載の微小液滴生成装置。
【請求項６】
前記微小液滴生成ユニットは、２つの油相試料管路と１つの水相試料管路、又は１つの油相試料管路と２つの水相試料管路を含み、前記油相試料管路と前記水相試料管路は、微小液滴を形成するためのクロス構造を形成する、ことを特徴とする請求項５に記載の微小液滴生成装置。
【請求項７】
前記油相試料入口の後の管路には、ジグザグ状流動抵抗エリアが設けられ、油相試料は、前記ジグザグ状流動抵抗エリアを通過した後、２つの経路に分かれ、それぞれ油相試料管路に入り、「油中水」微小液滴を生成し、又は、前記水相試料入口の後ろの管路には、ジグザグ状流動抵抗エリアが設けられ、水相試料は、前記ジグザグ状流動抵抗エリアを通過した後、２つの経路に分かれ、それぞれ水相試料管路に入り、「水中油」微小液滴を生成する、ことを特徴とする請求項５に記載の微小液滴生成装置。
【請求項８】
前記油相試料管路には油相試料濾過エリアが設けられ、及び／又は前記水相試料管路には水相試料濾過エリアが設けられ、好ましくは、前記油相試料濾過エリア及び／又は前記水相試料濾過エリアは、それぞれ一組の柱状アレイ構造である、ことを特徴とする請求項５に記載の微小液滴生成装置。
【請求項９】
前記第２部品の上方には、油相試料ローディングスロット、油相ローディング貫通孔、水相試料ローディングスロット及び水相ローディング貫通孔が設けられ、前記油相ローディング貫通孔及び前記水相ローディング貫通孔は、それぞれ前記油相試料ローディングスロット及び前記水相試料ローディングスロットの底部に設けられ、前記油相試料及び前記水相試料は、前記貫通孔をそれぞれ通して前記第１部品に入り、前記第２部品の下方には、試料収集装置が設けられる、ことを特徴とする請求項１に記載の微小液滴生成装置。
【請求項１０】
前記試料収集装置は、その両端にそれぞれ設けられた生成された微小液滴受入口及び微小液滴収集口と、プレストアキャビティとを含み、前記第１部品によって生成された微小液滴は、前記微小液滴受入口を通して第２部品に入り、次に、前記プレストアキャビティを通過し、最後に、前記微小液滴収集口によって収集される、ことを特徴とする請求項９に記載の微小液滴生成装置。
【請求項１１】
前記微小液滴収集口は、傾斜した側壁構造の出口として設けられ、その端部に接続棒が設けられ、微小液滴は、前記接続棒を介して微小液滴収集容器に滴下する、ことを特徴とする請求項１０に記載の微小液滴生成装置。
【請求項１２】
前記微小液滴収集容器は遠心管であり、前記接続棒は弧状の側壁を有し、前記接続棒は、前記遠心管の内部に深く入り、微小液滴の収集を容易にする、ことを特徴とする請求項１１に記載の微小液滴生成装置。
【請求項１３】
前記第１部品には微小液滴生成の観察エリアが設けられ、前記第２部品には観察窓が設けられ、光学装置と協働して、生成された微小液滴をリアルタイムで監視するために使用される、ことを特徴とする請求項１〜１２のいずれか一項に記載の微小液滴生成装置。
【請求項１４】
前記微小液滴生成装置は第３部品を更に含み、前記第３部品は、前記第２部品の油相試料及び水相試料を密封し、それを介して外部圧力が加えられる、ことを特徴とする請求項１〜１２のいずれか一項に記載の微小液滴生成装置。
【請求項１５】
前記第１部品と前記第２部品にはそれぞれ、両者の固定接続を容易にする位置決めのための位置決め孔がさらに設けられる、ことを特徴とする請求項１〜１２のいずれか一項に記載の微小液滴生成装置。
【発明の詳細な説明】
【技術分野】
【０００１】
本発明は、微小液滴デジタルＰＣＲ技術の分野に関し、具体的には、微小液滴生成装置に関する。
【背景技術】
【０００２】
微小液滴デジタルＰＣＲ技術（ｄｒｏｐｌｅｔ  ｄｉｇｉｔａｌ  ＰＣＲ、ｄｄＰＣＲ）は、単一分子ＰＣＲに基づく核酸の絶対的な定量的分析技術である。微小液滴デジタルＰＣＲ技術は、高感度と高精度という利点を備えたため、業界で次の革新的な技術になりつつある。近年、マイクロナノ製造技術及びマイクロ流体技術（ｍｉｃｒｏ−ｎａｎｏｆａｂｒｉｃａｔｉｏｎ  ａｎｄ  ｍｉｃｒｏｆｌｕｉｄｉｃｓ）の発展に伴い、微小液滴デジタルＰＣＲ技術は、技術的なボトルネックを打破するための最良の機会に直面している。この技術は、マイクロ流体チップを使用して、直径数ミクロンから数百ミクロンの液滴を生成する。微小液滴は単一分子又は単一細胞を包むため、反応と検出は完全に密閉し、完全に統合される。微小液滴デジタルＰＣＲ装置の動作原理は次のとおりである。まず、被測定試料は、特別な微小液滴生成器によって、大量のナノリットルスケール（直径は数ミクロンから数百ミクロンである）の「油中水」微小液滴に均一に分散され、微小液滴の数は百万レベルである。微小液滴の数が十分であり、微小液滴が油層によって互いに隔離されるため、各微小液滴は「マイクロリアクター」に相当する。微小液滴には、被測定試料のＤＮＡ単一分子だけが含まれる。次に、これらの微小液滴に対してそれぞれＰＣＲ増幅反応を行い、液滴の蛍光信号を微小液滴分析器で１つずつ検出し、蛍光信号のある微小液滴を１、蛍光信号のない微小液滴を０とする。最後に、ポアソン分布原理及び陽性の微小液滴の数と比率に基づいて、被測定試料の目標ＤＮＡ分子の数を取得し、核酸試料の絶対定量を達成することできる。
【０００３】
微小液滴デジタルＰＣＲ技術の重要なステップは、均一なミクロンレベルの「油中水」の微小液滴を迅速かつ確実に並行生成することである。微小液滴を生成するためのコア技術は、マイクロ流体技術に基づく微小液滴生成装置を設計及び処理することである。微小液滴生成装置は、臨床検出で広く使用されるために、次の原則を持つ必要である。（１）ミクロンレベルの均一な「油中水」／「水中油」微小液滴を迅速かつ確実に並行生成する。（２）マイクロ流体技術に基づくマイクロ流体チップの材料および処理コストが低い。（３）操作が便利である。（４）液滴の生成及び収集中に交差汚染は発生しない。
【０００４】
現在、ポリジメチルシロキサン（ＰＤＭＳ）に基づくマイクロ流体チップは、微小液滴の生成に幅広く使用されている。まず、研究者たちは、ソフトリソグラフィテクノロジー（手動操作）を利用して、ミクロンレベルを有するＰＤＭＳ微小液滴チップを加工する。ＰＤＭＳ微小液滴チップの製造が成功すると、その試料入口と微小液滴生成出口で、機械的処理プロセスを使用して穴を開け、試料入口管と試料出口管を組み立てる。「油相」及び「水相」の試料は、手動でシリンジに吸引される。次に、「油相」試料と「水相」試料は、外部のシリンジポンプによって、試料入口管を通してＰＤＭＳ微小液滴チップに注入される。最後に、生成された微小液滴は、試料出口管を介して、ＥＰ管などの従来の実験用消耗品に収集される。ＰＤＭＳ微小液滴チップ材料の開発コストは低く、実験室の処理プロセスは簡単であるが、その欠点には次のようなものがある。
（１）ＰＤＭＳは熱弾性ポリマー材料であり、工業用グレードの射出成形及びパッケージングプロセスには適していない。手で処理されたＰＤＭＳ微小液滴チップは、信頼性が低い。
（２）ＰＤＭＳ微小液滴チップのバッチ処理コストは高い。
（３）ＰＤＭＳ微小液滴チップの試料注入、液滴収集は、煩雑な手動操作プロセスであり、臨床検査応用に適していない。
（４）液滴の生成と収集中に相互汚染が発生しやすい。
【０００５】
ＰＤＭＳ微小液滴チップの不足に対して、業界は上記の欠点に向けて研究開発を進めている。米国のＢｉｏＲａｄ社とＲａｉｎＤａｎｃｅ  Ｔｅｃｈｎｏｌｏｇｉｅｓ社は、ポリマー材料に基づく微小液滴生成装置を開発した。Ｂｉｏｒａｄ社の微小液滴生成装置は、生成された微小液滴を手動でチップからＥＰ管に転送する必要がある。ＲａｉｎＤａｎｃｅ社の微小液滴生成装置は、油相試料を入れるための外部機器を必要とし、コストが高くなる。これらの微小液滴生成装置自体の不足は、臨床検査の分野での幅広い応用を制限する。
【発明の概要】
【発明が解決しようとする課題】
【０００６】
既存の微小液滴生成装置の不足に対して、本発明は、ポリマー材料に基づく微小液滴生成装置を提供する。この微小液滴生成装置の特徴は次のとおりである。（１）均一なミクロンレベルの「油中水」又は「水中油」微小液滴を迅速かつ確実に並行生成する。（２）微小液滴チップは、熱可塑性材料（例えば、ポリカーボネート材料（ＰＣ）、シクロオレフィンコポリマー（ＣＯＰ）又はポリメチルメタクリレート材料（ＰＭＭＡ）、ポリプロピレン（ＰＰ）など）を使用し、材料及びバッチ処理のコストが低い。（３）外部圧力源によって、この微小液滴生成装置のチップを使用して、試料注入と液滴収集プロセスが便利になる。（４）集積された微小液滴生成装置の設計により、全プロセスで交差汚染が発生しにくい。
【０００７】
また、本発明は、ポリマー材料に基づく微小液滴生成チップを提供する。この微小液滴チップは、業界の成熟した光ディスク製造プロセスと組み合わされ、次の特徴を有する。（１）均一なミクロンレベルの「油中水」又は「水中油」微小液滴を迅速かつ確実に生成する。（２）従来の円形ディスクの構造を変更し、ディスクのスペースを最大限に活用し、微小液滴の生成流路を平行に配置する。
【０００８】
一実施形態では、本発明は、微小液滴生成装置を提供する。前記微小液滴生成装置は第１部品と第２部品を含む。第１部品と第２部品とは固定接続される。前記第１部品は、微小液滴生成チップであり、微小液滴の生成のために使用される。前記第２部品は、微小液滴試料のローディングと生成された微小液滴の収集の装置であり、第１部品の油相試料と水相試料のローディング及び生成された微小液滴の収集のために使用される。好ましい実施形態では、前記微小液滴生成チップは、円形又は多角形であり、前記多角形は十六角形、八角形又は四角形であることが好ましい。好ましい実施形態では、前記微小液滴生成チップは、熱可塑性材料、好ましくは、ポリカーボネート、環状オレフィン共重合体、ポリメチルメタクリレート及びポリプロピレンである。一実施形態では、前記第１部品と前記第２部品は、スポット溶接又は超音波溶接によって密封され、固定接続される。
【０００９】
一実施形態では、前記第１部品と前記第２部品は、それぞれ一体射出成形によって形成される。一実施形態では、前記第１部品と前記第２部品は、熱可塑性材料、好ましくは、ポリカーボネート材料、環状オレフィン共重合体又はポリメチルメタクリレート、ポリプロピレンである。
【００１０】
一実施形態では、前記第１部品には、少なくとも１個の微小液滴生成ユニットが設けられ、好ましくは、４個、８個及び１２個の微小液滴生成ユニットが設けられる。前記第２部品には、少なくとも１個の微小液滴ローディング及び収集ユニットが設けられ、好ましくは４個、８個、及び１２個の微小液滴生成ユニットが設けられる。各微小液滴生成ユニットは、それに対応する微小液滴ローディング及び収集ユニットと協働して、微小液滴のローディング、生成及び収集を行う。一実施形態では、各个前記距離は、標準の８チャンネルピペッターのピペットチップ間の距離に等しい。
【００１１】
一実施形態では、前記微小液滴生成チップは中心孔を含み、前記中心孔は、前記微小液滴生成チップの製造中の射出成形材料の注入、及びバッチ生産中の微小液滴生成チップの移送のために使用される。前記中心孔の両側に、中心孔を中心として１個以上の微小液滴生成ユニットが設けられ、各微小液滴生成ユニットは独立して微小液滴を生成する。好ましくは、前記中心孔の両側に、４個の微小液滴生成ユニットが等間隔で設けられる。
【００１２】
一実施形態では、前記微小液滴生成ユニットは、油相試料入口、油相試料管路、水相試料入口、水相試料管路、及び微小液滴出口を含む。前記油相試料管路及び／又は前記水相試料管路は、前記中心孔から離れる弧状の管路構造である。
【００１３】
一実施形態では、前記微小液滴生成ユニットは、２つの油相試料管路と１つの水相試料管路、又は１つの油相試料管路と２つの水相試料管路を含む。前記油相試料管路と前記水相試料管路は、微小液滴を形成するためのクロス構造を形成する。
【００１４】
一実施形態では、前記油相試料入口の後ろの管路には、ジグザグ状流動抵抗エリアが設けられ、油相試料は、前記ジグザグ状流動抵抗エリアを通過した後、２つの経路に分かれ、それぞれ油相試料管路に入り、「油中水」微小液滴を生成する。又は、前記水相試料入口の後ろの管路には、ジグザグ状流動抵抗エリアが設けられ、水相試料は、前記ジグザグ状流動抵抗エリアを通過した後、２つの経路に分かれ、それぞれ水相試料管路に入り、「水中油」微小液滴を生成する。
【００１５】
一実施形態では、前記油相試料管路には油相試料濾過エリアが設けられ、及び／又は前記水相試料管路には水相試料濾過エリアが設けられる。好ましくは、前記油相試料濾過エリア及び／又は前記水相試料濾過エリアは、それぞれ一組の柱状アレイ構造である。
【００１６】
一実施形態では、前記第２部品の上方には、油相試料ローディングスロット、油相ローディング貫通孔、水相試料ローディングスロット及び水相ローディング貫通孔が設けられる。前記油相ローディング貫通孔及び前記水相ローディング貫通孔は、それぞれ前記油相試料ローディングスロット及び前記水相試料ローディングスロットの底部に設けられ、前記油相試料及び前記水相試料は、前記貫通孔をそれぞれ通して前記第１部品に入る。前記第２部品の下方には、試料収集装置が設けられる。
【００１７】
一実施形態では、前記油相試料ローディングスロット及び前記水相試料ローディングスロットの容積はそれぞれ１〜９００μｌ、好ましくは５〜５００μｌ、さらに好ましくは１００〜２００μｌである。
【００１８】
一実施形態では、前記試料収集装置は、その両端にそれぞれ設けられた生成された微小液滴受入口及び微小液滴収集口と、プレストアキャビティとを含む。前記第１部品によって生成された微小液滴は、前記微小液滴受入口を通して第２部品に入り、次に、前記プレストアキャビティを通過し、最後に、前記微小液滴収集口によって収集される。
【００１９】
一実施形態では、前記微小液滴収集口は、傾斜した側壁構造の出口として設けられ、その端部に接続棒が設けられ、微小液滴は、前記接続棒を介して微小液滴収集容器に滴下する。
【００２０】
一実施形態では、前記微小液滴収集容器は遠心管であり、前記接続棒は弧状の側壁を有する。前記接続棒は、前記遠心管の内部に深く入り、微小液滴の収集を容易にする。
【００２１】
一実施形態では、前記第１部品には微小液滴生成の観察エリアが設けられ、前記第２部品には観察窓が設けられ、光学装置と協働して、生成された微小液滴をリアルタイムで監視するために使用される。
【００２２】
一実施形態では、前記微小液滴生成装置は第３部品を更に含み、前記第３部品は、前記第２部品の油相試料及び水相試料を密封し、それを介して外部圧力が加えられる。
【００２３】
一実施形態では、前記第１部品と前記第２部品にはそれぞれ、両者の固定接続を容易にする位置決めのための位置決め孔がさらに設けられる。
【図面の簡単な説明】
【００２４】
以下、本出願の実施例の技術的手段を更に詳細に説明するために、実施例の説明に必要な図面を簡単に説明する。当然のことながら、下記の説明における図面は本出願の幾つかの実施例に過ぎず、当業者であれば、創造的労働をしない前提で、これらの図面に基づいて他の図面を得ることができる。
【図１】本発明の微小液滴生成装置の全体構造の模式図である。
【図２】本発明の微小液滴生成装置の第１部品の構造を示す図である。
【図３】本発明の微小液滴生成装置の第１部品の微小液滴生成「クロス構造」の模式図である。
【図４】本発明の微小液滴生成装置の第２部品の構造模式図である。
【図５】本発明の第２部品の収集装置の構造模式図である。
【図６】本発明の微小液滴生成チップの構造模式図である。
【図７】本発明の微小液滴生成チップの油相試料注入のジグザグ状流動抵抗エリアの構造図である。
【図８】本発明の微小液滴生成チップの油相試料注入の濾過エリアの構造模式図である。
【図９】本発明の微小液滴生成チップのクロス生成構造の模式図である。
【図１０】本発明の微小液滴生成チップの観察エリアの構造模式図である。
【発明を実施するための形態】
【００２５】
当業者が本出願における技術的解決策をよりよく理解できるようにするために、以下の実施例を参照しながら本発明をさらに説明する。明らかに、説明される実施例は、本出願の実施例の一部にすぎず、すべての実施例ではない。当業者が創造的な作業なしに本出願の実施例に基づいて得られる全ての他の実施例は、本出願の保護範囲に含まれるべきである。以下では、図面及び実施例を参照しながら本発明を更に説明する。
【００２６】
実施例１  本発明の微小液滴生成装置
一、微小液滴生成装置の全体構造
図１に示すように、本発明の微小液滴生成装置は、第１部品１と第２部品２を含む。第１部品１は、微小液滴生成チップであり、第２部品２は、微小液滴試料ローディング及び生成された液滴収集の装置である。第１部品１と第２部品２とは固定接続される。
【００２７】
幾つかの実施形態では、本発明の微小液滴生成装置は第３部品３を更に含む。第３部品は、第２部品２の微小液滴油相試料ローディングスロット及び水相試料ローディングスロットを密封するために使用される。第３部品３は、例えば、シリカゲルからなる水封用ガスケットなどである。この水封用ガスケットには、圧力を加えるための通気孔を設けることができ、その機能は、外部圧力源と第２部品との間の圧力接続の気密性を確保し、外部圧力の適用を容易にすることである。外部圧力によって、２つの試料は、第２部品から第１部品に流れ、第１部品のマイクロ流路に進入する。最後に、生成された微小液滴は、微小液滴収集容器、例えば、遠心管（ＥＰ管）に収集される。
【００２８】
図２と３に示すように、本実施例では、第１部品１には、８個の微小液滴生成ユニットが平行に設けられる。各微小液滴生成ユニットは、第１部品１において左から右へ等間隔で並列配置される。各微小液滴生成ユニットは、独立して微小液滴を生成する。第１部品１における微小液滴生成ユニットの数は、微小液滴生成チップのサイズ及び液滴生成の必要性に依存する。現在一般的に使用されている微小液滴生成構造は、微小液滴を生成する「クロス」構造である。例えば、直径１００μｍの微小液滴を生成するには、「クロス」構造の幅と深さは７０μｍである。上から下に見ると、各微小液滴生成ユニットは、油相試料入口１１、２つの油相試料管路１２、水相試料入口１３、１つの水相試料管路１４、及び微小液滴出口１５を含む。油相試料は、第１部品１の相試料受入口１１に進入した後、２つの油相試料管路１２に分かれて流れる。水相試料は、第１部品１の水相試料入口１３に進入した後、１つの水相試料管路１４に進入する。２つの相の液体はクロス構造で合流して微小液滴を生成する。微小液滴は、微小液滴出口１５から流出する。
【００２９】
第２部品２は、「油相」試料と「水相」試料のローディング、及び微小液滴の収集を実現する。図４に示すように、本実施例では、第１部品の８個の微小液滴生成ユニットに対応して、第２部品２に８個の微小液滴ローディング及び収集ユニットが平行に配置される。各微小液滴ローディング及び収集ユニットは、第２部品２において左から右へ等間隔で並列配置される。各微小液滴ローディング及び収集ユニットは、各微小液滴生成ユニットと協働して、微小液滴生成ユニットの水相と油相試料の添加及び生成された微小液滴の収集に使用される。第２部品２の上方には、油相試料ローディングスロット２１、油相ローディング貫通孔２２、水相試料ローディングスロット２３及び水相ローディング貫通孔２４が設けられる。油相ローディング貫通孔２２と水相ローディング貫通孔２４は、それぞれ油相試料ローディングスロット２１と水相試料ローディングスロット２３の底部中央に配置される。第２部品２の下方には試料収集装置２５が設けられ、試料収集装置２５の両端にはそれぞれ、生成された微小液滴受入口２６及び微小液滴収集出口２７が設けられる。
【００３０】
幾つかの実施形態では、第２部品２には、光学装置と協働して、生成された微小液滴をリアルタイムで監視するための観察窓４が設けられる。観察窓４は中空設計であり、生成された微小液滴受入口２６の前に位置し、第１部品１で生成された微小液滴を観察することができる。
【００３１】
図５に示すように、試料収集装置２５の生成された微小液滴の受入口２６は、第１部品１の微小液滴出口１５に対応する貫通孔である。生成された微小液滴受入口２６の後ろにプレストアキャビティ２８が設けられる。プレストアキャビティ２８の後ろの微小液滴収集出口２７は、傾斜した側壁構造の出口として設けられ、その端部にはＥＰ管に接続するための接続棒２９が設けられ、接続棒２９は弧状の側壁を有する。接続棒２９はＥＰ管の内部に深く入り、微小液滴の収集を容易にする。
【００３２】
図５に示すように、第１部品１で生成された微小液滴は、圧力の作用下で微小液滴出口１５及び第２部品の生成された液滴出口貫通孔２６を通して、プレストアキャビティ２８に進入する。微小液滴の密度は油相試料の密度よりも低く、油の上方に浮く。微小液滴と油が流入し続けると、微小液滴は、微小液滴収集出口２７の傾斜した側壁に沿ってＥＰ管に滑り込む。
【００３３】
幾つかの実施形態では、第１部品１と第２部品２は、油相試料入口１１と油相ローディング貫通孔２２、水相試料入口１３と水相ローディング貫通孔２４、及び微小液滴出口１５貫通孔と生成された液滴出口２６のそれぞれの周囲にスポット溶接シールがある。
【００３４】
二、微小液滴生成装置のワークフロー
ワークフロー全体は、（１）試料注入ステップ、（２）微小液滴生成ステップ、及び（３）微小液滴収集ステップという３つのステップに分かれている。まず、「油相」試料と「水相」試料は、それぞれ第２部品２の油相試料ローディングスロット２１と水相試料ローディングスロット２３に入れられる。外部圧力によって、２つの試料はそれぞれ油相ローディング貫通孔２２と水相ローディング貫通孔２４を通過して、第１部品１の油相試料入口１１と水相試料受入孔１３にそれぞれ進入する。その後、油相は２つの油相試料管路１２に進入し、水相は１つの水相試料管路１４に進入する。油相と水相は、第１部品１のクロス構造で均一な微小液滴を形成する。生成された微小液滴は、第１部品１の微小液滴出口１５と第２部品の生成された液滴出口２６を通過して、第２部品のプレストアキャビティ２８に進入する。プレストアキャビティ２８の微小液滴は収集出口２７を介して、試料収集装置に接続されるＥＰ管に進入して、微小液滴の生成及び収集が完了する。
【００３５】
（１）試料ローディングステップ
油相試料と水相試料は、予め第２部品２の油相試料ローディングスロット２１と水相試料ローディングスロット２３に入れられる。外部圧力によって、２つの試料はそれぞれ油相ローディング貫通孔２２と水相ローディング貫通孔２４を通過して、第１部品１の油相試料入口１１と水相試料受入孔１３にそれぞれ進入する。その後、油相は２つの油相試料管路１２に進入し、水相は１つの水相試料管路１４に進入する。
【００３６】
（２）微小液滴生成ステップ
典型的な「油中水」微小液滴生成プロセスは、図３に示される。「油相」試料は、外部空気圧の作用下で、水平方向からミクロンレベルの管路に流入する。「水相」試料は、外部空気圧の作用下で、垂直方向からミクロンレベルの管路に流入する。２つの非混和性液体は、「クロス」マイクロ流体構造で交流する。「油相」試料と「水相」試料との液体表面張力差、及び外部から加えられた圧力によって生成されたせん断力により、  「水相」試料は、クロス構造で「油相」試料によって、連続相から離散した微小液滴に分割される。微小液滴は「油中水」の形であり、外部は「油相」試料である。
【００３７】
（３）微小液滴収集ステップ
生成された微小液滴は、第１部品１の微小液滴出口１５と第２部品の生成された液滴出口２６を通過して、第２部品のプレストアキャビティ２８に進入する。プレストアキャビティ２８の微小液滴は収集出口２７を介して、試料収集装置に接続されるＥＰ管に進入して、微小液滴の生成及び収集が完了する。
【００３８】
図５からわかるように、微小液滴は、第１部品のマイクロ管路内で生成された後、第１部品１の微小液滴出口１５及び第２部品の生成された液滴出口２６に流れる。液滴は、圧力の作用下で第２部品２のプレストアキャビティ２８まで浮上する。微小液滴の密度は油相試料の密度よりも低いため、油の上に浮く。微小液滴及び油が流入し続けると、微小液滴は、収集出口２７の傾斜した側壁に沿ってＥＰ管に滑り込む。接続棒２９は、ＥＰ管の内部に深く入り、微小液滴の収集を容易にする。
【００３９】
実施例２  本発明の微小液滴生成チップ
（一）、微小液滴生成チップの全体構造
図６は、微小液滴生成チップの構造模式図である。左から右へ、八角形のチップ上に８個の微小液滴生成ユニット４１が設計される。チップの中心に中心孔４２がある。この中心孔４２は、光ディスク加工テクノロジーに由来するものであり、射出成形材料の注入及びバッチ生産中の基板の転送に使用される。従来の円形ディスク構造は、容易に位置決めることができないため、チップを八角形構造に加工し、２つの位置決め孔４３を加工することによって、微小液滴チップと関連機器との位置決め及び適合は容易になる。中心孔の両側に、４個の同じ微小液滴生成ユニット４１が等間隔で配置され、微小液滴を並列に生成するために使用される。
【００４０】
図６に示すように、各液滴生成ユニット４１は、上から下へ、油相試料入口４１１１、ジグザグ状流動抵抗エリア４１１２、２つの油相試料管路４１１３、２つの油相濾過エリア４１１４、水相試料入口４１２１、１つの水相試料濾過エリア４１２２、１つの水相試料管路４１２３、微小液滴生成エリア４１３、微小液滴生成観察エリア４１４、及び生成された微小液滴出口４１５を含む。図６に示される微小液滴生成チップは、従来の光ディスクの標準的な構造を修正しており、光ディスクのスペースを最大限に活用し、微小液滴生成フローチャネルを並列に配置することができる。同時に、精密射出成形プロセスで加工されたチップは、ジグザグ状流動抵抗エリア及び濾過エリアの設計と組み合わされて、均一なミクロンレベルの「油中水」微小液滴を迅速かつ確実に生成することができる。
【００４１】
（二）、油相試料ローディング構造
図７と図８に示すように、まず、外部の空気ポンプ又はぜん動ポンプによって、油相試料は、油相試料入口４１１１に注入される。油相試料の注入量を正確に制御するために、油相試料入口４１１１の後ろにジグザグ状流動抵抗エリア４１１２が設計される。このジグザグ状流動抵抗ゾーン４１１２は、複数のＵ字管で構成される。油相試料はポリマー材料の表面に浸潤し、圧力が加えられない条件で、毛管作用によって、油相試料はマイクロ管路に流入する。極端な場合に、油相試料は毛管作用で流動し続ける。ジグザグ状流動抵抗ゾーン４１１２を設計する目的は、油相試料の注入量を正確に制御し、毛管作用による油相試料のマイクロ管路での継続的な流動を最小限に抑え、油相試料の注入量を外部の空気ポンプ又はぜん動ポンプによってのみ制御することである。
【００４２】
その後、油相試料は、油相分流入口を通して、２つに分かれて同じ設計の２つの油相試料管路４１１３に進入する。油相試料管路４１１３は、中心孔４２から離れる弧状構造管路である。図３に示すように、２つの油相試料管路４１１３のそれぞれは、油相濾過エリア４１１４に入る。油相濾過エリア４１１４は、１組の柱状アレイ構造である。図８に示すように、柱状アレイ構造は、交互配置された複数列の柱状アレイから構成される。油相に存在する不純物（粒子、フィラメント繊維など）は、該１組の柱状構造でブロックされ、微小液滴の生成に影響を与えない。
【００４３】
（三）、水相試料ローディング構造
まず、外部の空気ポンプ又はぜん動ポンプによって、水相試料は、水相試料入口４１２１に注入される。油相試料注入設計と同様に、水相試料は、１つの水相試料濾過エリア４１２２及び１つの水相試料管路４１２３に進入する。濾過エリアは、１組の柱状アレイ構造であり、その目的は、水相試料中の不純物を濾過し、不純物の液滴生成に対する影響を排除することである。
【００４４】
（四）、微小液滴生成エリアの構造
図９に示すように、２つの油相試料管路４１１３と１つの水相試料管路４１２３は、微小液滴生成エリア４１３で、微小液滴を生成するための「クロス」構造を形成する。２つの「油相」試料は、２つの油相試料管路４１１３を通して、外部空気圧の作用下で、水平方向からミクロンレベルの管路に流入する。１つの「水相」試料は、水相試料管路４１２３を通して、外部大気圧の作用下で、垂直方向からミクロンレベルの管路に流入する。２つの非混和性液体は、「クロス」マイクロ流体構造で交流する。「油相」試料と「水相」試料との液体表面張力差、及び外部から加えられた圧力によって生成されたせん断力により、  「水相」試料は、クロス構造で「油相」試料によって、連続相から離散した微小液滴に分割される。
【００４５】
（五）、観察エリア及び微小液滴収集口の構造
図１０に示すように、微小液滴生成観察エリア４１４の目的は、光学装置と適合して微小液滴をリアルタイムで監視するのを容易にすることである。微小液滴生成観察エリア４１４の特徴的な構造は、マイクロ管路の左側に設計された、閉じた微小構造である。油相／水相液体、微小液滴が閉じた構造を流れないため、光学検出装置は安定した静止画像を収集し、マイクロ管路平面に集中して、明確な検出結果を得るのが容易になる。生成された微小液滴は、生成された微小液滴出口４１５を通して流出する。
【００４６】
（六）、チップ位置決め構造−中心孔、八角形縁構造、位置決め孔
従来の光ディスクの標準構造は、光ディスクのスペースを最大限に活用し、使用中のチップの位置決めを容易にするために修正される。中心孔４２は、光ディスク加工テクノロジーに由来するものであり、射出成形材料の注入及びバッチ生産中の基板の転送に使用される。従来の円形ディスク構造は、容易に位置決めすることができない。従って、チップを八角形構造に加工し、２つの位置決め孔４３を加工することによって、微小液滴チップと関連機器との位置決め及び適合は容易になる。
【００４７】
開示された本発明は、記載された特定の方法、解決策、及び物質に限定されないことが理解されたい。これらはいずれも変化し得る。また、本明細書で使用される用語は、特定の実施形態を説明するためだけのものであり、本発明の範囲を限定するものではなく、本発明の範囲は添付の特許請求の範囲によってのみ限定されることも理解されたい。
【００４８】
当業者はまた、本明細書に記載されている本発明の具体的な実施形態の多くの同等物を、通常の実験を超えないように使用することを認識するか、又は確認することができる。これらの同等物も、添付の特許請求の範囲に含まれる。
【図１】
2021500586.tif 000003
【図２】
2021500586.tif 000004
【図３】
2021500586.tif 000005
【図４】
2021500586.tif 000006
【図５】
2021500586.tif 000007
【図６】
2021500586.tif 000008
【図７】
2021500586.tif 000009
【図８】
2021500586.tif 000010
【図９】
2021500586.tif 000011
【図１０】
2021500586.tif 000012
【国際調査報告】
2021500586.tif 000013
2021500586.tif 000014
2021500586.tif 000015
2021500586.tif 000016